(57)【要約】      （修正有）【課題】仕切壁をより強力に補強すると共に収納物の収納を妨げない収納箱を提供すること【解決手段】収納箱は外装箱と、外装箱の内部に配置され、折り曲げられることによって外装箱の内部空間を仕切る仕切部材と、を有する。仕切部材は、底面壁１１と、底面壁に対して起立して外装箱の内部空間を、電子機器を収納する第１の収納部と、前記電子機器の付属品を収納する第２の収納部に仕切ると共に、前記底面壁に垂直な方向から見たときに前記第１の収納部の一部が前記第２の収納部に突出するように折り曲げられている仕切壁２１と、仕切壁と外装箱の側壁との間の第２の収納部に配置され、仕切壁の第１の収納部側に突出した第１の部分と第１の部分から第２の収納部側に退避した第２の部分に接触する補強壁２４と、を有する。【選択図】図３
2012025448.tif 000002
【特許請求の範囲】
【請求項１】
外装箱と、当該外装箱の内部に配置され、折り曲げられることによって前記外装箱の内部空間を仕切る仕切部材と、を有する収納箱であって、
前記仕切部材は、
底面壁と、
前記底面壁に対して起立して前記外装箱の内部空間を、電子機器を収納する第１の収納部と、前記電子機器の付属品を収納する第２の収納部に仕切ると共に、前記底面壁に垂直な方向から見たときに前記第１の収納部の一部が前記第２の収納部に突出するように折り曲げられている仕切壁と、
前記仕切壁と前記外装箱の側壁との間の前記第２の収納部に配置されて前記付属品を支持すると共に、前記仕切壁の第１の収納部側に突出した第１の部分と前記第１の部分から第２の収納部側に退避した第２の部分に接触する補強壁と、
を有することを特徴とする収納箱。
【請求項２】
前記仕切部材は一枚の紙部材から構成されていることを特徴とする請求項１に記載の収納箱。
【請求項３】
前記第１の収納部を上側に前記第２の収納部を下側に配置すると、前記電子機器は、前記仕切壁の前記第２の部分よりも前記第１の部分に先に接触するように前記仕切壁は折り曲げられていることを特徴とする請求項１又は２に記載の収納箱。
【請求項４】
前記補強壁は、前記第２の収納部を前記底面壁と平行な面によって複数に分割することを特徴とする請求項１ないし３のうちいずれか一項に記載の収納箱。
【請求項５】
前記補強壁は、前記底面壁に平行なＬ字形状の壁部と、当該Ｌ字形状の壁部を部分的に折り曲げることによって形成されて前記Ｌ字形状の壁部の高さを維持する一対の脚部を有することを特徴とする請求項１ないし４のうちいずれか一項に記載の収納箱。
【請求項６】
前記仕切部材は、
前記底面壁に対して起立するＬ字形状の側壁を更に有し、
折り曲げ前の状態では前記補強壁と前記仕切壁とは隣接して配置され、前記補強壁は前記Ｌ字形状の側壁と一体であることを特徴とする請求項１ないし５のうちいずれか一項に記載の収納箱。
【発明の詳細な説明】
【技術分野】
【０００１】
本発明は、電子機器とその付属品の収納箱に関する。
【背景技術】
【０００２】
特許文献１は、外箱の内部に内箱を設け、内箱は、四角形の底壁部の４辺から立ち上がる４つの側壁部と、外箱の内部空間を仕切る仕切部材と、を有する。特許文献２は、底壁と側壁と仕切壁とを備え、仕切壁は側壁のうちの仕切壁用側壁に連続するフラップ部を折り畳んで仕切壁用側壁と間隔を空けて底壁に立設されるように構成され、底壁には仕切壁の補強手段が設けられている収納箱を開示している。
【先行技術文献】
【特許文献】
【０００３】
【特許文献１】特開２００９−１６６８５２号公報
【特許文献２】特開２００７−２８４１１６号公報
【発明の概要】
【発明が解決しようとする課題】
【０００４】
特許文献２の補強手段としての起立させた舌片は収納部に入り込むので、本体や付属品の収納に邪魔になる場合があり、また、仕切壁の一部を支えるのみなので、衝撃で仕切壁に大きな力がかかった場合に途中で折れ曲がる可能性もある。
【０００５】
そこで、本発明は、仕切壁をより強力に補強すると共に収納物の収納を妨げない収納箱を提供することを例示的な目的とする。
【課題を解決するための手段】
【０００６】
本発明の収納箱は、外装箱と、当該外装箱の内部に配置され、折り曲げられることによって前記外装箱の内部空間を仕切る仕切部材と、を有する収納箱であって、前記仕切部材は、底面壁と、前記底面壁に対して起立して前記外装箱の内部空間を、電子機器を収納する第１の収納部と、前記電子機器の付属品を収納する第２の収納部に仕切ると共に、前記底面壁に垂直な方向から見たときに前記第１の収納部の一部が前記第２の収納部に突出するように折り曲げられている仕切壁と、前記仕切壁と前記外装箱の側壁との間の前記第２の収納部に配置され、前記仕切壁の第１の収納部側に突出した第１の部分と前記第１の部分から第２の収納部側に退避した第２の部分に接触する補強壁と、を有することを特徴とする。
【発明の効果】
【０００７】
本発明によれば、仕切壁をより強力に補強すると共に収納物の収納を妨げない収納箱を提供することができる。
【図面の簡単な説明】
【０００８】
【図１】本実施例の収納箱の分解斜視図である。
【図２】図１に示す仕切部材の斜視図である。
【図３】図２に示す仕切部材の展開図（平面図）である。
【発明を実施するための形態】
【０００９】
図１は、上面が開放された状態の本実施例の収納箱の分解斜視図である。収納箱は、デジタル一眼レフカメラなどの電子機器とその付属品（バッテリチャージャーやＡＶケーブルなど）を収納する。収納箱は、外装箱１、外装箱１に収納されて段ボール（紙部材）を折り曲げることによって構成される仕切部材２、仕切部材２の上に置かれてマニュアル等を載せるためのトレイ３を有する。本実施例の電子機器は、デジタルカメラ本体（電子機器本体）４であり、前方に突き出た鏡筒部４ａ、グリップ部４ｂ、後方に突き出た電子ビューファインダー（ＥＶＦ）４ｃ等を有する。本実施例の付属品は、図１中ではバッテリー５、バッテリー５の充電器６、電源コード７である。
【００１０】
図２は仕切部材２の斜視図であり、図３はその展開図（平面図）である。仕切部材２は、外装箱１の内部に配置され、折り曲げられることによって外装箱の内部空間を仕切る。図２及び図３において、底面壁１１は鉛直方向に対して垂直に、即ち地面に対して水平になるように配置されるである。前面壁１２は底面壁１１から立ち上がり、内側に１８０度折り返される前面折り返し部１３とフラップ部１４を有する。後面壁１５は底面壁１１から立ち上がり、前面壁１２同様に、内側に１８０度折り返される後面折り返し部１６とフラップ部１７を有する。前面壁１２および後面壁１５を内側に折り返すことによって、本体収納部の幅を調節してデジタルカメラ４の左右方向の動きを規制するとともに、段ボールによる緩衝作用の向上を図っている。
【００１１】
側面壁１８は底面壁１１から立ち上がり、側面折り返し部１９は内側に折り返され、側面壁１８および側面折り返し部１９によって前面壁１２のフラップ部１４および後面壁１５のフラップ部１７を狭持する。
【００１２】
この時、側面壁１８の折り返し部１９に設けられた爪部１９ａおよび１９ｂが折り返し部１３および後面壁折り返し部１６に設けられた凹部１３ａおよび１６ａに掛かり、側面壁折り返し部１９が浮き上がることを防止する。また、側面壁折り返し部１９によって前面壁折り返し部１３および後面壁折り返し部１６の浮き上がりを防いでいる。
【００１３】
また、側面壁１８および折り返し部１９には穴部２０があけられており、本体４から後方に突き出たＥＶＦ４ｃを逃げるようになっている。これにより、落下時の衝撃からＥＶＦ４ｃを保護する。
【００１４】
仕切壁２１は、底面壁１１に対して起立して外装箱１の内部空間を、電子機器を収納する第１の収納部Ｓ１と、付属品を収納する第２の収納部Ｓ２に仕切る。また、仕切壁２１は、底面壁１１に垂直な方向（上方向）から見たときに第１の収納部Ｓ１の一部が第２の収納部Ｓ２に突出するように折り曲げられている。
【００１５】
本実施例では、仕切壁２１は罫線２２および２３によって上方向から見たときにクランク状に折り曲げられるが、これは単なる一例であり、凸形状や凹形状など他の形状であってもよい。
【００１６】
本実施例の仕切壁２１の第１の収納部側に突出した凸部（第１の部分）２１ａと凸部２１ａから第２の収納部側に退避した部分（第２の部分）２１ｂと凸部２１ａと２１ｂとを接続する中間の部分２１ｃを有する。本実施例では凸部２１ａと２１ｂは平行であるが、これは単なる一例である。また、部分２１ｃは凸部２１ａや２１ｂに対して垂直でもよいし垂直でなくてもよい。
【００１７】
この時、仕切壁２１の凸部２１ａが前面壁１２および前面折り返し部１３の端面に突き当たるように構成されており、クランク状に折り曲げた仕切壁２１が内側に倒れこまないように構成されている。
【００１８】
電子機器の小型化に伴い、外装箱１も小型化が進められてきたが、デジタル一眼レフカメラなどの電子機器では鏡筒部４ａが大きく突き出ているため、特許文献１の内箱のように収納部が四角形状のままでは付属品が収まるスペースが足らなくなる。このため、本実施例のようなクランク形状の仕切壁２１は電子機器本体を収納して外装箱１を小型にするうえで有効である。
【００１９】
しかしながら、仕切壁２１の根元が底面部分と切り離されていれば電子機器を上にして落下させた場合、仕切壁２１が、電子機器本体の重量に耐え切れず変形したり、引っ掛け部が外れて電子機器本体や付属品が、収納室から移動したりしてしまうおそれがある。
【００２０】
本実施例では、鏡筒部４ａの先端が仕切壁２１に当たるよりも先にグリップ部４ｂが仕切壁２１にあたるように構成しているので、デジタルカメラ本体４を上にして落下した場合の衝撃が鏡筒に加わることを緩和することができる。即ち、第１の収納部Ｓ１を上側に第２の収納部Ｓ２を下側になるように収納箱を配置すると、電子機器は、仕切壁２１の部分２１ｂよりも凸部２１ａに先に接触するように仕切壁２１は折り曲げられている。
【００２１】
２４はアクセサリー類を載せるてこれらを支持する補強壁であり、前面壁１２を罫線１２ａで直角に折り曲げて構成されるとともに、バッテリー充電器６の電源コード７と、それ以外の付属品の収納スペースを分けている。
【００２２】
本実施例では、図３に示すように、組み立て前（折り曲げ前）の状態では補強壁２４と仕切壁２１とは隣接して配置されている。また、底面壁１１に対して垂直に折り曲げられる（起立する）側壁の一つであるＬ字形状の前面壁１２に一体となっている。これによって、仕切部材２をコンパクトな構成で形成することができる。
【００２３】
付属品の一つである電源コード７の電源プラグの形状が仕向け地（国）によって様々であるため、外装箱１は電源プラグ部分のもっとも大きな電源ケーブルに対応する付属品の収納スペースを確保する大きさでなくてはならない。一方、国によってはプラグ部分がバッテリー充電器６に内蔵されており、電源コード７が不必要であり、付属品の収納スペースに隙間が多く発生し、振動や落下で付属品が動き回って問題を起こす可能性がある。
【００２４】
補強壁２４で電源コード７と、バッテリー充電器６を含む電源コード７以外の付属品の収納スペースを分けることによって電源コード７の同梱如何にかかわらず付属品が外装箱１内で移動することを防止することができる。補強壁２４は仕切壁２１を補強すると共にその上に付属品を収納するので、補強壁２４は収納物の収納を妨げない。
【００２５】
補強壁２４はＬ字形状を有し、底面壁１１と平行である（本実施例では同一面を形成する）壁部である。図３に示すように、補強壁２４を図２に示す二点鎖線で部分的に折り曲げることによって一対の脚部２５および２６が形成される。
【００２６】
補強壁２４は、仕切壁２１と外装箱１の側壁との間の第２の収納部Ｓ２に配置される。また、補強壁２４は、凸部２１ａと２１ｂの両方に接触して仕切壁２１を補強しているため、仕切壁２１の補強をより強力にしている。即ち、補強壁２４は、凸部２１ａに接触する辺（端面）２４ａと部分２１ｂに接触する端面（脚部２５）を有する。
【００２７】
一対の脚部２５及び２６は、補強壁２４を一定の高さに維持する。これにより電源コード７の同梱如何にかかわらず、それ以外の付属品の収納スペースは一定となる。また、脚部２５は広い面積で部分２１ｂと接触してこれを補強している。更に、脚部２５や２６は凸部２１ａや２１ｂと平行に配置されている。補強壁２４は、第２の収納部Ｓ２を底面壁１１と平行な面によって複数に（本実施例では２つに）分割している。なお、第２の収納部を分割する数は限定されない。
【００２８】
補強壁２４の辺２４ａおよび辺（端面）２４ｂは仕切壁２１のクランク状に折り曲げられた形状に沿う形状となっており、仕切壁２１の略中央付近の高さに位置するように構成されている。辺２４ｂは部分２１ｃに接触する。これにより、仕切壁２１のクランク形状を保持するとともに、カメラ本体４を上にして落下させた場合の衝撃を補強壁２４の断面方向で受けることができるので、仕切壁２１の変形を防ぐことが可能となる。
【００２９】
なお、図３に示すように、補強壁２４およびその脚部２５，２６はそれらがない場合の展開寸法内に形成することができるので、補強壁２４を設けることで部材コストが上がることはない。本実施例では、補強壁２４は底面壁１１と一体で同一面を構成するが、これは補強壁２４の一部であってもよい。
【００３０】
本実施例では補強壁２４を仕切部材２と同一部材として説明したが、別部材として実施してもよく、その場合は図３の左上に補強壁２４を形成することができる。即ち、仕切部材２の底面壁１１、仕切壁２１および補強壁２４は一枚の段ボール（紙部材）から構成されている。
【産業上の利用可能性】
【００３１】
収納箱は電子機器及びその付属品を収納する用途に適用することができる。
【符号の説明】
【００３２】
１                外装箱
２                仕切部材
４                電子機器本体
１１              底面壁
１２、１６、１８  側壁
２１              仕切壁
２４              補強壁
【図１】
2012025448.tif 000003
【図２】
2012025448.tif 000004
【図３】
2012025448.tif 000005